(57)【要約】  ハウジングに配置された、プラズマを生成するために必要な高電圧信号を発生する高電圧段（５、６）と、高電圧段に接続され、誘電体バリアプラズマを形成するための誘電体（９）によって覆われた電極アセンブリ（１０）と、を備える、生き物の口腔内を誘電体バリアプラズマで処置するように形成されたプラズマ処置装置は、ハウジングが、機械的接続アセンブリによってヘッド部材（２）が着脱可能および交換可能に取り付けられているグリップ部材（１）を有することと、グリップ部材（１）が、高電圧信号を発生するために必要なすべての段と、高電圧信号が印加されるコンタクトアセンブリと、を含むことと、ヘッド部材（２）が、特殊処置のために特殊形に形成されているとともに、誘電体（９）により完全に取り囲まれている相応に成形された電極アセンブリ（１０）を有し、かつ機械的接続アセンブリによるグリップ部材（１）へのヘッド部材（２）の取付けが行われた場合に、グリップ部材（１）のコンタクトアセンブリに接触する接続部（１４）を有することと、によって生き物の口腔における異なった処置を簡単に可能にする。
2020533110.tif 000002
【特許請求の範囲】
【請求項１】
ハウジングに配置され、プラズマを生成するために必要な高電圧信号を発生する高電圧段（５、６）と、前記高電圧段に接続され、誘電体バリアプラズマを形成するための誘電体（９）によって覆われる電極アセンブリ（１０）と、を備える、生き物の口腔内を誘電体バリアプラズマで処置するように形成されたプラズマ処置装置において、前記ハウジングは、機械的接続アセンブリによってヘッド部材（２）が着脱可能および交換可能に取り付けられているグリップ部材（１）を有することと、前記グリップ部材（１）は、前記高電圧信号を発生するために必要なすべての段と、前記高電圧信号が印加されるコンタクトアセンブリとを含むことと、前記ヘッド部材（２）は、特殊処置のために特殊形に形成されているとともに、前記誘電体（９）により完全に取り囲まれている相応に成形された電極アセンブリ（１０）を有し、かつ前記機械的接続アセンブリによる前記グリップ部材（１）への前記ヘッド部材（２）の取付けが行われた場合に、前記グリップ部材（１）の前記コンタクトアセンブリに接触する接続部（１４）を有することと、を特徴とする、プラズマ処置装置。
【請求項２】
前記ヘッド部材（２ｇ）は、１つの底壁（３０）と２つの側壁（３１）とを有していて生き物の歯列の各歯を包み込み得るマウスピースのように成形されていることと、前記成形された電極アセンブリ（１０）は、前記底壁（３０）に少なくとも面状に配置されていることと、を特徴とする、請求項１に記載のプラズマ処置装置。
【請求項３】
前記ヘッド部材（２ｆ）は、歯列の形に相当するＵ字形のエンドピースを有する平坦面を備えて形成されていることを特徴とする、請求項１に記載のプラズマ処置装置。
【請求項４】
前記ヘッド部材（２ｄ）は、歯の間隙に挿入するための薄い平らなエンドピース（２５）として形成されていることを特徴とする、請求項１に記載のプラズマ処置装置。
【請求項５】
前記ヘッド部材（２ｃ）は、前記生き物の舌が少なくとも部分的に突入し得る中心開口（２２）を有するフレーム形（２１）を具備することと、前記電極アセンブリ（１０）は相応のフレーム形を有することと、を特徴とする、請求項１に記載のプラズマ処置装置。
【請求項６】
前記ヘッド部材（２ｂ）は、歯に施された孔に挿入可能にするための大きさの細い棒形に形成されていることを特徴とする、請求項１に記載のプラズマ処置装置。
【請求項７】
前記ヘッド部材（２ａ）は、幅および長さを有する面状の底区分（１１）を備えて形成されており、前記長さにわたって、前記幅にわたって延在する複数のウェブ（１２）が前記面状の底区分から隆起し、前記複数のウェブは歯の間隙に挿入するために形成されていることを特徴とする、請求項１に記載のプラズマ処置装置。
【請求項８】
前記電極アセンブリ（１０）は、前記底区分（１１）において面状に、かつ前記ウェブ（１２）内にまで一体的に延在することを特徴とする、請求項７に記載のプラズマ処置装置。
【請求項９】
前記ヘッド部材（２ａ）は、歯ブラシとして形成されていることを特徴とする、請求項７または８に記載のプラズマ処置装置。
【請求項１０】
プラズマ処置セットであって、請求項１に記載のプラズマ処置装置と、特に請求項２〜８に記載の少なくとも２つの異なったヘッド部材（２）とで形成されている、プラズマ処置セット。
【発明の詳細な説明】
【技術分野】
【０００１】
本発明は、ハウジングに配置され、プラズマを生成するために必要な高電圧信号を発生する高電圧段と、高電圧段に接続され、誘電体バリアプラズマを形成するための誘電体によって覆われた電極アセンブリと、を備える、生き物の口腔内を誘電体バリアプラズマで処置するように形成されたプラズマ処置装置に関する。
【背景技術】
【０００２】
創傷面を含む皮膚表面を誘電体バリアプラズマで処置することは知られており、注目されつつある。プラズマ処置によって皮膚表面または創傷表面の病原菌の低減が行われる一方で、組織の微小循環が活発にされる。これによって、例えば創傷の治癒が促進される。処置によって健康な皮膚を美容的に改善することができる。さらにプラズマ処置によって、皮膚への治療物質またはケア物質の吸収が促進されることから、プラズマ処置をこれらの物質の付加と組み合わせることが可能である
誘電体バリアプラズマを形成する際に、電流が直接流れることが誘電体バリア層によって阻止され、それにより皮膚または組織を焼くアークが発生し得ない。
【０００３】
独国特許第１０３２４９２６Ｂ３号明細書によって、生きた細胞に誘電体バリアプラズマによってプラズマ処置を行うことが基本的に知られている。歯の処置も一例である。このために誘電体によって取り囲まれ、尖端にプラズマ場を発生する円柱状で棒状の電極が使用される。プラズマ場において電極に高電圧パルスが供給され、処置されるべき細胞を有する体が対向電極として機能する。その際、電極の尖端に小さいプラズマ場が生じるように注意が払われる。比較的大きい表面を処置するために、誘電体によってなる円筒状の外被面を有する棒状の電極を使用することができる。その際、略直線状のプラズマ場が生じる。面を処置するために、処置されるべき面上で電極が転がされる。比較的大きい面上を球状の電極またはロール状の電極を転がして通過させるという着想は、さらに独国特許出願公開第１０２０１３０１９０５８Ａ１号明細書および欧州特許第２９４６６４１Ｂ１号明細書の主題である。
【０００４】
国際公開第２０１１／０７６１９３Ａ１号パンフレットによって、皮膚表面を面状に処置するために、電極アセンブリを当てるだけで比較的大きい面を均等に行うために用いられる可撓性の電極を形成することがさらに知られている。その際、電圧を通す電極を覆う誘電体は、処置側で皮膚表面に直接当接するが、この処置側では、プラズマが形成され得る当接点間または当接線間に空隙ができる構造になっている。
【０００５】
したがって、すべての公知のプラズマ処置装置は、点状、線状、または面状の表面処置用に設計されている。独国特許第１０３２４９２６Ｂ３号明細書では口腔内の歯の処置が考慮されているかぎりで、これに当てはまる。このために非常に小さい広がりのプラズマ場が予定されており、例えば齲蝕を処置するために、歯の表面上でこのプラズマ場を通過させることができる。
【先行技術文献】
【特許文献】
【０００６】
【特許文献１】独国特許第１０３２４９２６Ｂ３号明細書
【特許文献２】独国特許出願公開第１０２０１３０１９０５８Ａ１号明細書
【特許文献３】欧州特許第２９４６６４１Ｂ１号明細書
【特許文献４】国際公開第２０１１／０７６１９３Ａ１号パンフレット
【発明の概要】
【０００７】
本発明は、生き物の口腔内を処置するために予定されているプラズマ処置装置を、多様な、および改善された処置が可能になるように形成するという課題にもとづいている。
【０００８】
上記の課題を解決するために、冒頭で述べた種類のプラズマ処置装置は、本発明によれば、ハウジングが、機械的接続アセンブリによってヘッド部材が着脱可能および交換可能に取り付けられているグリップ部材を有することと、グリップ部材が、高電圧信号を発生するために必要なすべての段と、高電圧信号が印加されるコンタクトアセンブリとを含むことと、ヘッド部材が、特殊処置のために特殊形に形成されているとともに、誘電体により完全に取り囲まれている相応に成形された電極アセンブリを有し、かつ機械的接続アセンブリによってグリップ部材へのヘッド部材の取付けが行われた場合に、グリップ部材のコンタクトアセンブリに接触する接続部を有することと、を特徴とする。
【０００９】
本発明によるプラズマ処置装置は、電極アセンブリが、口腔内を処置するために特殊に成形されているという特殊性を有する。歯、歯肉、および舌のプラズマ処置は、これまで点状でしか可能でなかった。本発明により、電極アセンブリを有するヘッド部材が、これまで可能でなかった特殊な処置を行うことができるように、または改善できるように成形される。さらに、特殊に成形されたヘッド部材によって、例えば同じ処置工程中に上顎または下顎のすべての歯を一緒に処置することができることが達成可能である。ヘッド部材とグリップ部材との間の着脱可能な接続にもとづいた本発明によるヘッド部材の交換可能性は、さらに、口腔内の広範囲に及ぶ処置を同じグリップ部材で、かつヘッド部材を交換するだけで連続して行うことを可能にする。例えば、まず上顎および／または下顎の歯を、続いて別のヘッド部材で歯の間隙を処置することが可能である。別の実施例では、歯の表面をヘッド部材で処置することができるのに対して、例えば齲蝕にもとづいて行われた穿孔を、孔に挿入することができる針状に形成されたヘッド部材で処置することが可能である。
【００１０】
本発明の主題は、さらに、グリップ部材と、それぞれグリップ部材と着脱可能に接続可能である少なくとも２つの様々に成形されたヘッド部材とからなるプラズマ処置セットである。
【００１１】
本発明の一実施形態では、ヘッド部材は、１つの底壁と２つの側壁とを有していて生き物の歯列の各歯を包み込み得るマウスピースのように成形され、成形された電極が底壁に面状に配置されている。この実施形態では、１つの歯列（上顎または下顎）の歯を一緒に同じ処置工程で処置することが可能である。ヘッド部材をマウスピースのように形成することによって、電極アセンブリの正確な位置決めが保証されている。
【００１２】
別の変形実施形態では、歯列の形に相当するＵ字形の平坦面を有するヘッド部材が形成されている。このヘッド部材によって、特に歯列の歯の咀嚼面を処置することができる。
【００１３】
別の一実施形態では、ヘッド部材は、歯の間隙に挿入するための薄い平らな部材として形成されている。これによって、特に、隣り合う歯の互いに向き合う歯縁が処置され、このことは、特に歯の間隙における齲蝕の場合に好ましい。さらに、ヘッド部材を、場合によっては電動の歯ブラシの形に形成することが可能である。それによって、プラズマ処置を歯の機械的掃除と組み合わせることができる。
【００１４】
別の一実施形態では、生き物の舌が少なくとも部分的に突入し得る中心開口を有するフレーム形を具備し、電極アセンブリがフレーム形全体にわたって延在し、すなわち同様にフレーム形に形成されている。このヘッド部材は、特に、細菌による舌苔を除去するために適しており、フレーム状のヘッド部材が舌の長さにわたって、近位の横方向ウェブとともにゆっくりと引き寄せられる。
【００１５】
さらに別の実施形態では、ヘッド部材は、歯に行われた穿孔に挿入可能にするための大きさの細い棒形に形成されている。歯に施された孔は電極アセンブリを同様にこの細い棒形で延在するので、この孔はこのようなヘッド部材を用いて誘電体バリアプラズマで処置することができる。
【００１６】
本発明のさらに別の実施形態では、幅および長さを有する面状の底区分を具備するヘッド部材が形成されており、長さにわたって、幅にわたって延在する複数のウェブが面状の底区分から隆起し、複数のウェブは歯の間隙に挿入するために形成されている。ヘッド部材は、歯ブラシの用毛の配列と似ており、ウェブは、殊に高可撓性の誘電性プラスチックからなる。これには特にシリコーンが適している。その場合、ウェブの間隔が歯の間隙の中間間隔と完全に一致しなくても、ウェブを歯の間隙に少なくとも部分的に押し込むことができる。その際、電極アセンブリは、殊に誘電体のウェブ内に突出するように一体に形成されている。この場合、ウェブの他に、プラズマ処置を機械的清掃と組み合わせることができる用毛も位置決めすることができる。
【００１７】
すべての実施形態において、電極アセンブリは、高電圧パルスが印加される電極として形成されていてもよく、口腔の処置されるべき部分が対向電極として機能する。しかし電極アセンブリが２つの互いに絶縁された電極からなってもよい。この実施形態では、２つの電極の両方に、同一であるが逆位相の高電圧パルスを供給することができる。その結果、わずかな距離をおいてゼロ場が生じる。この場合も口腔の処置されるべき部分が対向電極として用いられる。
【００１８】
２つの電極を有する電極アセンブリを形成する場合、さらに、電極のうちの一方を高電圧信号と接続し、他方を基準電位と接続することが可能である。この場合、プラズマ場は、電極アセンブリと、対向電極としての口腔の処置されるべき部分との間にではなく、２つの電極間に形成される。磁力線は、電極の端に弓形に延在することが知られているので、このアセンブリにおいて、表面プラズマを生成することができるが、この表面プラズマは、あまり効率的に形成されない。
【００１９】
以下、図に示された実施例をもとにして本発明の実施形態について詳細に説明する。
【図面の簡単な説明】
【００２０】
【図１】プラズマ処置装置のグリップ部材に着脱可能に取り付けることができるヘッド部材の第１実施形態による実施例の図である。
【図２】図１に示されたグリップ部材と接続可能であるヘッド部材の６つの実施例に係る図１ｂ）の切断線Ａ−Ａに沿う断面図である。
【図３】図１および図２に示された７つのヘッド部材の上側の上面図である。
【図４】図３により７つのヘッド部材のグリップ部材から見た背面図である。
【図５】図３によるヘッド部材の下面図である。
【図６】切断線Ｂ−Ｂの図による図４に相当する背面図である。
【図７】図６による切断線Ｂ−Ｂに沿うヘッド部材の７つの実施形態の水平断面図である。
【図８】変形されたヘッド部材の図７に相当する断面図、図１に相当する側面図、および図３に相当する上面図である。
【図９】さらに変形されたヘッド部材の図８に相当する図である。
【発明を実施するための形態】
【００２１】
図１は、プラズマ処置装置全体の側面図（図１ａ））、ヘッド部材の端面側の図（図１ｂ））、および図１ｂ）の切断線Ａ−Ａに沿う縦断面図（図１ｃ））を示す。プラズマ処置装置の図示された実施例は、グリップ部材１とヘッド部材２と後方の接続部材３とから構成されるハウジングを有する。グリップ部材１とヘッド部材２との間の接続、およびグリップ部材１と後方の接続部材３との間の接続は、ねじ結合として、バヨネット結合として、またはそれに類するものとして形成されていてもよい。グリップ部材１は、プラズマ処置装置を確実に把持できるようにするべき軽微に人間工学的に成形された外輪郭を有する。中空のグリップ部材１は、電子制御器５が入っている内部空間４を有し、電子制御器は、直流電圧から交流電圧パルスを発生し、交流電圧パルスはコイルアセンブリ６により高電圧パルスに変換される。したがって、制御器５とコイルアセンブリ６とは高電圧段５、６をなす。高電圧パルスは、端面側の絶縁接続片７に設置された詳しく図示されないブッシュの形のコンタクトアセンブリに到達し、このコンタクトアセンブリを介して発生した高電圧パルスをヘッド部材２に伝送することができる。
【００２２】
後方の接続部材３は、３つのバッテリ８を包囲し、３つのバッテリは、後方の接続部材３を取り外すことによって簡単にアクセスでき、交換することができる。したがって、図１に示された実施例は、電源供給ケーブルなしで済み、したがって快適に取り扱うことができるハンドツールである。しかし、本発明の範囲内で、ケーブルを介して電源供給される装置も考えられ、電源は、例えば公共の電力網からの直流電圧電源であってもよいし、交流電圧電源であってもよい。後者の場合、制御器５は、整流器段およびチョッパ段を含むことが合目的的である。
【００２３】
図１に示された実施例では、ヘッド部材２は、一体の誘電体９を有する特殊に成形されたヘッド部材２ａとして形成されており、誘電体は、ヘッド部材２ａがグリップ部材１と規定どおり接続されている場合に、電極アセンブリ１０を遮蔽して触れられないようにする。ヘッド部材２ａについては、誘電体９がグリップ部材１の略円柱状の形を出発点として先細りになり、面状の底区分１１へ移行するように成形され、この底区分から３つのウェブ１２が上に向かって延在し、これらのウェブ間に間隙１３が形成されている。電極アセンブリは、グリップ部材１側の端に、誘電体９から突出する接続ピンの形の通電接続部１４を形成し、この通電接続部をグリップ部材１の接続片７における上述のブッシュに差込み可能であり、それによりコイルアセンブリ６とのコンタクトを形成する電極アセンブリ１０は、接続部１４を出発点として面状の底区分１１にまで延在し、そこで面状の電極区分１５を形成する。この面状の電極区分１５と一体にウェブ付加部１６が接続されており、ウェブ付加部は、ウェブ１２の中心に延在し、全方面からウェブ１２の誘電体によって包囲されている。電極アセンブリは流込み成形可能なプラスチックから形成され、これに、殊に粒子形の導電性添加剤が添加される場合に、電極アセンブリ１０の複雑な形状を一体に形成することができる。適当な流込み成形可能な材料は、誘電体として使用される電気絶縁シリコーンと材料結合的に結合するシリコーンである。
【００２４】
ウェブ１２は、ヘッド部材２ａを歯の間隙に位置決めするために用いられ、ウェブは少なくとも部分的に歯の間隙に押し込み可能である。ウェブ１２は、軟質可撓性材料からなり、したがって歯の幅がウェブ１２間の間隙１３の幅と完全に一致しない場合でも歯の間隙に押し込むことができる。電極区分１５とウェブ付加部１６とを有する電極アセンブリ１０は、歯を三方から取り囲むことができるので、ウェブ１２間にある歯を可能な限り完全にプラズマ処置することが可能になる。
【００２５】
図１に示されるように、歯の間隙に容易に突入し得るように、ウェブ１２の領域における誘電体は、例えば鋸歯状プロファイルで形成されていてもよい。
【００２６】
ウェブ１２から離反した底区分１１の裏側には、例えば底区分１１の領域における誘電体９の弾性を高める補強ウェブ１７もしくは脆弱化溝（Ｓｃｈｗａｅｃｈｕｎｇｓｎｕｔｅｎ）が、ヘッド部材２ａの長手方向に対して横向きに設けられていてもよい。
【００２７】
図３〜図７において、ヘッド部材２ａの第１実施例が各図３．１〜図７．１に異なる方向から見た図で、および別の断面図で図示されている。
【００２８】
図２〜図７において、第２実施形態によるヘッド部材２ｂがそれぞれ図２．２〜図７．２に図示されている。誘電体９は、グリップ部材１との接続片を出発点としてテーパ部を経て細い棒状の端部１８にまで延在し、棒状の端部は直径１ｍｍ未満であり、長手方向溝１８ａを備えており、長手方向溝は、機械的に補強する一方で、例えば歯に当接して空隙を形成し、この空隙においてプラズマが発生することができる。電極アセンブリ１０は、接続部１４からピン状に棒状の端部１８にまで延在し、棒状の端部１８のためのワイヤに似た電極芯１９をなす。当然のことながら、電極芯１９は、端面側の端が誘電体によって覆われ、ここでは丸くした端を有している。
【００２９】
図２〜図７において、第３実施形態によるヘッド部材２ｃが各図２．３〜図７．３に示されている。この場合、誘電体９は、中心開口２２を有するフレーム２１を形成する平片２０に向かって先細りになる。開口のグリップ部材１に対して遠位にある端が、高くされた終端ウェブ２３によって閉じられている。開口２２は、舌の少なくとも一部を収容できるように寸法設定されている。終端ウェブ２３は、例えば細菌による舌苔を除去するために、ヘッド部材２ｃを舌にわたって引き寄せることができるかき取りエッジをなす。この場合も、電極アセンブリ１０は接続部１４を形成し、誘電体９内で二股に分かれ、平片２０の平面において誘電体９の高さの中心で開口２２を包囲し、終端ウェブ２３の領域では、電極アセンブリ１０も高くされたウェブ２４へと成形されている。したがってヘッド部材２は、特に舌を処置するために成形されている。
【００３０】
第４実施形態では、ヘッド部材２ｄが平らで平坦なエンドピース２５として形成されており、このエンドピースは、同様に長手方向溝１８ａを有する幅狭で、したがって高弾性の棒状移行片２６に設けられている。このヘッド部材は、特に罹患歯の間隙を処置するのに適している。なぜならエンドピース２５の両側にあるエンドピースにおける面状の電極が、ヘッド部材２ｄを歯の間隙に挿入した場合に隣接する歯に作用する集中的なプラズマ場を発生させることができるからである。
【００３１】
図２〜図７における各図２．５〜図７．５に示された第５実施形態では、ヘッド部材２ｅは、同様に棒状の移行片２６を有しており、この移行片に弓形部形状のエンドピース２７が続く。このエンドピースは、電極アセンブリ１０によって形成される平面に対して垂直に延び、顎の外側領域、特に歯肉と歯との間の移行部を領域的に処置するのに特に適している。
【００３２】
図２〜図７の各図２．６〜図７．６に示される第６実施形態では、その他の点では第４実施例および第５実施例と同じに形成されたヘッド部材２ｆが、電極アセンブリ１０の平面においてＵ字形のストリップを形成するＵ字形のエンドピースを有している。したがって、ヘッド部材２ｆは歯がＵ字形のエンドピースの上側および下側に当接した場合に、上顎および下顎の咀嚼面および咀嚼縁を処置するのに適している。
【００３３】
図２〜図７の各図２．７〜図７．７に示される第７実施例では、ヘッド部材２ｇがマウスピースのようなエンドピース２９を有しており、それにより誘電体９は、１つの底壁３０と２つの側壁３１とを有する上に向かって開いた通路を形成する。電極アセンブリ１０は、少なくとも底壁にわたって延在するが、側壁にまで延在してもよい。このヘッド部材２ｇは、上顎または下顎の全歯を処置するのに適している。
【００３４】
図８は、変形されたヘッド部材２ｄ’の水平断面の拡大図（図８ａ）、側面図（図８ｂ）、および上面図（図８ｃ）を示す。変形されたヘッド部材２ｄ’は、誘電体９が平らで平坦なエンドピース２５の表面に小さいいぼ状突起３２を備えて形成されているという点で図２．４〜図７．４のヘッド部材２ｄと異なる。処置されるべき身体部位に平らで平坦なエンドピース２５をいぼ状突起により当接させることができ、その際、いぼ状突起３２間には、プラズマを形成することができる空隙がある。いぼ状突起３２は、他のヘッド部材２に実現されていてもよい構造化された表面の一例にすぎず、格子状構造、細孔構造などの形態でもよい。ヘッド部材２ａにおける補強リブ１７とヘッド部材２ｂ、２ｄ、２ｅ、２ｆ、２ｇの実施形態における長手方向溝１８ａとは同じ機能を果たす。いぼ状突起３２は特定の配置に定められていず、したがって図８ｃの図示は、一例をわかるやすく示すために用いられるにすぎない。
【００３５】
図９は、さらに変形されたヘッド部材２ｄ’’の図８のような図を示す。図８による実施形態が平片２５に唯一の電極を有するのに対して、ヘッド部材２ｄ’’は、平らで平坦なエンドピース２５’において並設された２つの電極面３３ａ、３３ｂを含み、これらの電極面は、誘電体９において平行に延びる接続線１４ａ、１４ｂを介して必要な高電圧に接続可能である。２つの接続線１４ａ、１４ｂは、電極面３３ａ、３３ｂと同様に中心の誘電体ストリップ９’によって互いに絶縁されている。
【００３６】
２つの電極面３３ａおよび３３ｂには、それぞれ互いに逆の極性の同じ高電圧パルス信号が供給されることが好ましく、それによりわずかな距離においても、形成された場が消え、プラズマは近接領域にのみ発生する。ヘッド部材２ｄ’’は、その他の点では外観的にヘッド部材２ｄ’に相当し、同様にいぼ状突起３２を備えるか、または誘電体９の別の構造を備えていることが好ましい。
【００３７】
図示された各実施例は、ヘッド部材２を交換することによる装置を用いることで、ヘッド部材２がそれぞれの処置対策に適合した形を有するので、口腔において異なったプラズマ処置を行うことができることを明らかにする。
【図１ａ）】
2020533110.tif 000003
【図１ｂ）】
2020533110.tif 000004
【図２】
2020533110.tif 000005
【図３】
2020533110.tif 000006
【図４】
2020533110.tif 000007
【図５】
2020533110.tif 000008
【図６】
2020533110.tif 000009
【図７】
2020533110.tif 000010
【図８ａ）】
2020533110.tif 000011
【図８ｂ）】
2020533110.tif 000012
【図８ｃ）】
2020533110.tif 000013
【図９】
2020533110.tif 000014
【国際調査報告】
2020533110.tif 000015
2020533110.tif 000016
2020533110.tif 000017
2020533110.tif 000018
2020533110.tif 000019
2020533110.tif 000020